(57)【要約】【課題】端末装置の位置に応じて、より好適にマスキング音を出力させる。【解決手段】照明装置１０は、光源部１１と、外部の端末装置２０から、自機（照明装置１０）と端末装置２０との相互間距離を特定するための距離情報及び自機（照明装置１０）を基準とする端末装置２０の存在方向を特定するための方向情報を受信する通信部と、相互間距離に応じた音圧で、端末装置の存在方向に向かってマスキング音を出力する音光源部１１とを備える。【選択図】図５
2020034685.tif 000002
【特許請求の範囲】
【請求項１】
少なくとも１つの光源を有する光源部と、
外部の端末装置から、自機と前記端末装置との相互間距離を特定するための距離情報及び自機を基準とする前記端末装置の存在方向を特定するための方向情報を受信する通信部と、
前記距離情報に基づいて特定される自機と前記端末装置との相互間距離に応じた音圧で、前記方向情報に基づいて特定される前記端末装置の存在方向に向かってマスキング音を出力する音源部とを備える
照明装置。
【請求項２】
前記距離情報は、前記端末装置から受ける無線通信の電波強度であり、
前記照明装置は、前記電波強度に基づいて、前記照明装置と前記端末装置との相互間距離を演算する演算部をさらに備え、
前記音源部は、前記演算部で演算された前記相互間距離に応じた音圧でマスキング音を出力する
請求項１に記載の照明装置。
【請求項３】
前記方向情報は、前記端末装置により撮像された前記照明装置の画像情報であり、
前記演算部は、前記画像情報に基づいて、前記端末装置の存在方向を特定し、
前記音源部は、前記演算部で演算された前記端末装置の存在方向に向かってマスキング音を出力する
請求項２に記載の照明装置。
【請求項４】
前記光源部は、互いに異なる位置に配置された少なくとも３つの光源を備え、
前記演算部は、前記端末装置から、前記画像情報として、前記３つの光源が撮像された画像情報を受け、前記画像情報に基づいて前記端末装置の存在方向を演算する
請求項３に記載の照明装置。
【請求項５】
前記音源部は、互いに異なる位置に配置された複数のスピーカーを備え、前記複数のスピーカーのうち、前記端末装置の存在方向に最も近いスピーカーから前記マスキング音を出力する
請求項１に記載の照明装置。
【請求項６】
前記音源部は、マスキングの対象外にする所望音があることを示す所望音信号を前記端末装置から受けた場合に、前記マスキング音に加えて前記所望音を出力する
請求項１に記載の照明装置。
【請求項７】
前記所望音を取得するための音声取得部を備えている
請求項６に記載の照明装置。
【請求項８】
前記音源部は、単一指向性スピーカーである
請求項１に記載の照明装置。
【請求項９】
少なくとも１つの光源を有する光源部と、
外部の端末装置から、自機と前記端末装置との相互間距離に応じた音圧を示す音圧情報及び自機を基準とする前記端末装置の存在方向を特定するための方向情報を受信する通信部と、
前記音圧情報に基づいた音圧で、前記方向情報に基づいて特定される前記端末装置の存在方向に向かってマスキング音を出力する音源部とを備える
照明装置。
【請求項１０】
請求項１に記載の照明装置と、
画像センサを有し、前記画像センサで撮像された前記照明装置の画像データに基づいて、前記距離情報および前記方向情報を算出して前記照明装置に送信する前記端末装置とを備える
照明システム。
【請求項１１】
前記端末装置は、前記照明装置の通信部との間の無線通信の電波強度に基づいて、前記照明装置と前記端末装置との相互間距離を算出し、前記距離情報として前記照明装置に送信する
請求項１０に記載の照明システム。
【請求項１２】
前記照明装置の照明部は、互いに異なる位置に配置された少なくとも３つの光源を備え、
前記端末装置は、前記画像センサで撮像された前記３つの光源の位置に基づいて前記存在方向を特定し、前記方向情報として前記照明装置に送信する
請求項１０に記載の照明システム。
【請求項１３】
前記端末装置は、マスキングの対象外にする所望音の有無についての操作を受け付ける操作部を備え、前記操作部に受け付けられた操作情報から前記所望音があると判断した場合に、該所望音があることを示す所望音信号を前記照明装置に送信し、
前記照明装置の音源部は、前記所望音信号に基づいて、前記マスキング音に加えて前記所望音を出力する
請求項１０に記載の照明システム。
【請求項１４】
前記端末装置は、外部音を取得するための音声取得部を備え、前記所望音があると判断した場合に、前記音声取得部で取得された外部音を前記照明装置に送信し、
前記照明装置の音源部は、前記マスキング音に加えて、前記端末装置の音声取得部で取得された前記外部音を前記所望音として出力する
請求項１３に記載の照明システム。
【請求項１５】
相互間の無線通信が可能に構成された端末装置と照明装置との間の距離を求める距離特定工程と、
前記端末装置に設けられた画像センサで前記照明装置を撮像し、該撮像された画像情報に基づいて、前記照明装置を基準とする前記端末装置の存在方向を特定する方向特定工程と、
前記照明装置に設けられた音源部が、前記方向特定工程で特定された前記端末装置の存在方向に向かって、前記距離特定工程で演算された相互間の距離に応じた音圧でマスキング音を出力するマスキング音を出力する音出力工程とを備える
騒音マスキング方法。
【請求項１６】
マスキングの対象外にする所望音がある場合に、該所望音を特定する工程をさらに備え、
前記音出力工程では、前記マスキング音に加えて、前記所望音を出力する
請求項１５に記載の騒音マスキング方法。
【発明の詳細な説明】
【技術分野】
【０００１】
本発明は、照明装置、照明システムおよび照明装置を用いた騒音マスキング方法に関する。
【背景技術】
【０００２】
天井板の近傍に、サウンドマスキング用の音声を出力する騒音マスキング用音源を敷設する技術が知られている（例えば、特許文献１）。
【０００３】
また、特許文献２には、雑音を相殺すなわち消去するマスキング音を提供しうる音響サブシステムを有する制御型照明が示されている。
【先行技術文献】
【特許文献】
【０００４】
【特許文献１】特許第５３２５４８８号公報
【特許文献２】特表２０１５−５３４７０１号公報
【発明の概要】
【発明が解決しようとする課題】
【０００５】
しかしながら、従来の騒音マスキング方法では、騒音が低減される位置が限定されていた、すなわち、ユーザーの位置により、十分な騒音マスキング効果が得られない場合があった。例えば、住環境において、ユーザーが椅子を移動させて座る位置を変えたときに、マスキング効果が十分に得られる場合と、得られない場合とが生じ得る。
【０００６】
そこで、本発明は、上記課題を解決した照明装置を提供することを目的とする。
【課題を解決するための手段】
【０００７】
上記課題を解決するために、本発明の一実施形態に係る照明装置は、少なくとも１つの光源を有する照明部と、外部の端末装置から、前記端末装置との間の距離を特定するための距離情報及び自機を基準とする前記端末装置の存在方向を特定するための方向情報を、無線通信により受信する通信部と、前記距離情報に基づいて特定される前記照明装置と前記端末装置との相互間距離に応じた音圧で、前記方向情報に基づいて特定される前記端末装置の存在方向に向かってマスキング音を出力する音源とを備える。
【発明の効果】
【０００８】
本発明に係る照明装置は、端末装置との距離に応じた音圧、かつ、端末装置の方向に向かってマスキング音を出力するので、端末装置（ユーザー）の位置に応じて、より好適にマスキング音を出力させることができる。
【図面の簡単な説明】
【０００９】
【図１】照明システムの主要な構成を示す概略図
【図２】照明システムの概略構成図
【図３】照明装置の構成例を示すブロック図
【図４】端末装置の構成例を示すブロック図
【図５】照明システムの動作を示すフローチャート
【図６】照明システムの動作を示すフローチャート
【図７】照明システムの動作を示すフローチャート
【図８】照明システムの他の構成例を示す概略構成図
【発明を実施するための形態】
【００１０】
以下、本発明の各実施形態を図面に基づいて詳細に説明する。以下の各実施形態の説明は、本質的に例示に過ぎず、本発明、その適用物或いはその用途を制限することを意図するものではない。
【００１１】
＜照明装置及び照明システムの構成＞
図１は実施形態に係る照明システムの主要な構成を示す概略図であり、図２は同照明システムの概略構成図である。
【００１２】
図１〜図３に示すように、照明システムＡは、照明装置１０と、照明装置１０との無線通信が可能に構成された端末装置２０とを備える。
【００１３】
照明装置１０は、例えば、室内の天井等に敷設され、光源部１１と、端末装置２０との無線通信が可能に構成された無線モジュール１２（通信部に相当）と、マスキング音を出力するスピーカー部１３（音源部に相当）とを備えている。さらに、照明装置１０は、照明装置１０全体の動作を制御する制御部１４（演算部に相当）と、照明制御部１５と、音声制御部１６と、マイク部１７（音声取得部に相当）とを備えている。照明制御部１５は、制御部１４の制御を受けて、光源部１１の発光状態を制御する。音声制御部１６は、制御部１４の制御を受けて、スピーカー部から出力する音声を制御する。マイク部１７は、外部音を取得するためのものであり、後述する所望音を取得するために用いられる。なお、照明制御部１５、音声制御部１６およびマイク部１７は、上記機能を実現可能に構成されていればよく、従来から知られている構成で実現することができるので、ここではその詳細な説明を省略する。
【００１４】
図２では、照明装置１０として、スピーカー部１３が内蔵されたシーリングライトを例示している。
【００１５】
図２において、光源部１１は、互いに異なる位置に配置された複数の光源１１ａを有している。複数の光源１１ａの配置は、特に限定されるものではないが、図２では、複数の光源１１ａが、シーリングライトの外周を囲む辺の内側において、その辺に沿うように等ピッチ間隔で円弧状に配置されている例を示している。光源１１ａの種類は、特に限定されるものではないが、例えば、ＬＥＤ（Light Emitting Diode）を用いることができる。ここで、光源１１ａの数を３つ以上にすることにより、端末装置２０側で自動的に端末装置２０の存在方向を演算することができるようになる。端末装置２０の存在方向とは、照明装置１０を基準として端末装置が存在する方向であり、換言すると、端末装置を携帯するユーザーの存在する方向とみなすこともできる。なお、端末装置２０の存在方向を演算するために、光源部１１が、光源１１ａとは別に、互いに異なる位置に配置された複数の光源１１ｂを含み、複数の光源１１ｂを用いて存在方向を特定するようにしてもよい。
【００１６】
無線モジュール１２は、例えば、既存の通信規格に準拠したモジュールであり、アンテナ１８を介して端末装置２０との間で信号の送受信ができるようになっている。無線モジュール１２で受信された受信信号は、制御部１４に出力される。なお、無線モジュール１２は、端末装置２０との間で無線通信ができるように構成されていればよく、従来から知られている構成で実現することができるので、ここではその詳細な説明を省略する。
【００１７】
スピーカー部１３は、制御部１４で指定された方向に向かって音波を出力することができるように構成されている。スピーカー部１３の具体的な構成は、特に限定されるものではないが、例えば、スピーカー部１３として、複数のスピーカー１３ａを互いに異なる位置に配置するようにしてもよい。これにより、例えば、端末装置２０の存在方向に最も近いスピーカー１３ａ（図２ではクロスハッチングを付している）から音波を出力することで、端末装置２０の存在方向に対して音波を出力することができる。また、複数のスピーカー１３ａの出力音圧を互いに異ならせることで、スピーカー部１３の出力音に方向性を持たせるようにしてもよい。これにより、スピーカー部１３から端末装置２０の存在方向に対して音波を出力することができる。なお、図８に示すように、スピーカー部１３として、単一のアレイ・スピーカー（単一指向性スピーカー）やパラメトリック・スピーカーを照明装置１０のシーリング内に内蔵させてもよいし、これらのスピーカーを照明装置１０の本体の外側に外付けするようにしてもよい。
【００１８】
制御部１４は、例えば、マイクロコンピュータで実現され、記憶部（図示省略）に記憶されたプログラム等に基づいて、照明装置１０全体の動作を制御する。制御部１４は、照明制御部１５を介して、光源部１１のオンオフを制御したり、明るさや発光態様を制御したりする。また、制御部１４は、音声制御部１６を介して、スピーカー部１３から出力される音声の内容や音圧（音量）を制御する。
【００１９】
制御部１４は、光源部１１やスピーカー部１３の制御に際して、（１）端末装置２０から受けた要求に応じて制御を行うようにしてもよいし、（２）内部のプログラムに基づいて制御部１４が自ら主体的に制御を行うようにしてもよい。なお、上記（１）、（２）それぞれの詳細な動作の一例については、後述する「照明システムの動作」の中で、場合分けをして説明する。
【００２０】
図４に示すように、端末装置２０は、タッチパネル式の端末装置（図２参照）であり、通信部２１と、ＣＰＵ２２と、画像センサ２３と、表示部及び操作部としての機能を有するタッチパネル２４とを備えている。端末装置２０は、例えば、スマートフォン、タブレットＰＣ、リモコン等である。なお、端末装置２０には、従来から知られているスマートフォン等の情報端末装置を用いることができるので、ここでは、本開示の技術に関連する構成要素について説明するものとし、他の構成について説明を省略する場合がある。なお、端末装置２０の表示部と操作部とが一体になっている必要はなく、それぞれが別々に設けられていてもよい、すなわち、端末装置２０がタッチパネル式でなくてもよい。
【００２１】
通信部２１は、ＣＰＵ２２の制御を受けて、アンテナ２５を介して照明装置１０の無線モジュール１２との間で無線通信が可能に構成されている。なお、端末装置２０は、通信部２１を介して、マスキングの対象外となる音、すなわち、ユーザーが聴くことを希望している音（以下、所望音という）を出力する特定機器３０と無線通信が可能に構成されていてもよい。本開示において、特定機器３０とは、ユーザーが聴きたい音を出力する機器の総称であるものとし、例えば、テレビ３１、ラジオ３２、オーディオ機器３３等が例示される。
【００２２】
ＣＰＵ２２は、例えば、マイクロコンピュータで実現され、記憶部（図示省略）に記憶されたプログラム等に基づいて、端末装置２０全体の動作を制御する。具体的な動作については、前述の照明装置１０の制御部１４と同様に、後述する「照明システムの動作」の中で具体的に説明する。
【００２３】
画像センサ２３は、例えば、端末装置２０に設けられたカメラであり、ユーザーが照明装置１０を撮像するために用いられる。画像センサ２３で撮像された照明装置１０の画像データは、ＣＰＵ２２に送られ、必要に応じて、タッチパネル２４に表示される。
【００２４】
タッチパネル２４では、例えば、端末装置２０にインストールされたアプリケーション等を起動させることで、照明装置１０の画像データを確認したり、照明装置１０の画像データに対して所定の入力操作を行ったりすることができるようになっている。また、図２に示すように、照明装置１０のタッチパネル２４に、スピーカー部１３から出力されるマスキング音や所望音等の音量を調整するための設定画面２４ａを表示し、ユーザーが、タッチパネル２４から上記音量を調整できるように構成されていてもよい。
【００２５】
＜照明装置及び照明システムの動作＞
次に、図５から図７を参照しつつ、照明装置１０及び照明システムＡの動作について具体的に説明する。図５は、照明システムＡの全体の動作を処理の工程に分けて示したフローチャートである。また、図６は、端末装置２０のＣＰＵ２２が主体となって制御を行う場合の一例を示しており、図７は、照明装置１０の制御部１４が主体となって制御を行う場合の一例を示している。
【００２６】
まず、図５を用いて、照明システムＡの動作について説明する。
【００２７】
ステップＳ１１では、端末装置２０と照明装置１０との間の距離（以下、単に相互間距離という）が演算等により求められる。相互間距離の演算主体は、端末装置２０であってもよいし、照明装置１０であってもよい。図６では、端末装置２０側で相互間距離を演算する例を示し、図７では、照明装置１０側で相互間距離を演算する例を示している。図６および図７については、後ほど詳細に説明する。
【００２８】
また、相互間距離の演算方法は、特に限定されない。例えば、端末装置２０と照明装置１０との間における無線通信の電波強度に基づいて相互間距離を求めることができる。より具体的には、無線通信の電波強度は調整することができるので、例えば、相互間の通信が可能な電波強度の最小値に基づいて、相互間距離を求めることができる。このように、相互間距離の算出に電波強度を用いることで、距離測定用の特別な素子や回路を追加することなく相互間距離を求めることができる。
【００２９】
また、端末装置２０または照明装置１０に、ＴＯＦ（Time Of Flight）センサを設けて、ＴＯＦセンサにより相互間距離を測定するようにしてもよい。
【００３０】
ステップＳ１２では、端末装置２０が、画像センサ２３により照明装置１０を撮像する。そして、その撮像された画像情報（画像データ）に基づいて、照明装置１０を基準とする端末装置２０の存在方向が特定される。ここで、照明装置１０を撮像する主体は、端末装置２０である。一方で、端末装置２０の存在方向を特定する主体は、端末装置２０であってもよいし、照明装置１０であってもよい。図６では、端末装置２０側で端末装置２０の存在方向を特定する例を示し、図７では、照明装置１０側で端末装置２０の存在方向を特定する例を示している。なお、具体的な端末装置２０の存在方向が特定方法については、後ほど詳細に説明する。
【００３１】
ステップＳ１３では、所望音の有無が判断される。例えば、端末装置２０が、タッチパネル２４に対して所望音の有無を確認する確認画面の表示を行い、その確認画面に対するユーザーの入力操作に基づいて所望音の有無が判断される。このとき、端末装置２０は、タッチパネル２４に対して上記所望音の有無に加えて、所望音を出力している特定機器３０を指定する設定画面を表示するようにしてもよい。
【００３２】
ステップＳ１３で所望音がない場合、端末装置２０から照明装置１０にその情報が送信され、フローはステップＳ１６に進む。
【００３３】
ステップＳ１６では、照明装置１０の制御部１４および音声制御部１６の制御により、スピーカー部１３からマスキング音が出力される。このとき、スピーカー部１３は、ステップＳ１１で求められた端末装置２０と照明装置１０との間の相互間距離に応じた音圧で、ステップＳ１２で特定された端末装置の存在方向に向かってマスキング音を出力する。
【００３４】
一方で、ステップＳ１３で所望音がある場合、端末装置２０から照明装置１０にその情報が送信され、フローはステップＳ１４に進む。
【００３５】
ステップＳ１４では、照明装置１０が、スピーカー部１３から出力するための所望音を取得する。所望音の取得方法は、特に限定されない。例えば、照明装置１０が、マイク部１７から所望音を取得するようにしてもよい。また、例えば、照明装置１０が、例えば、ユーザーが設定した特定機器３０から所望音の音声データを無線通信により直接受信したり、インターネット等から所望音の音声データをダウンロードしたりすることにより、所望音を取得するようにしてもよい。
【００３６】
ステップＳ１５では、照明装置１０のスピーカー部１３から所望音が出力される。前述のとおり、ステップＳ１６では、スピーカー部１３から、マスキング音が出力されるので、所望音がある場合には、スピーカー部１３から、所望音とマスキング音とが重畳して出力される。
【００３７】
次に、図６，７を用いて、照明システムＡの動作を各装置の動作に基づいて説明する。
【００３８】
−制御主体が端末装置の場合−
まず、端末装置２０が主体となって制御を行う場合について説明する。なお、具体的には、端末装置２０のＣＰＵ２２が主体となって制御を行うが、以下の説明では、便宜上、端末装置２０が主体であるものとして記載する。
【００３９】
図６に示すように、照明システムＡでは、マスキング音を出力するための初期設定（ステップＳ２１）が行われた後に、必要に応じて所望音の設定（ステップＳ２２）がされ、ステップＳ２１の初期設定で設定されたマスキング音が出力される（ステップＳ２３）。
【００４０】
以下、各ステップについて具体的に説明する。
【００４１】
（初期設定）
ステップＳ２１の初期設定は、マスキング音の出力に関する初期の条件設定であり、一度設定されると、その設定値が保持されるようになっている。したがって、例えば、照明装置やソファー等の家具が敷設された後に、ユーザーが一度設定すると、その後は、その設定を使用することができるものである。なお、初期設定値は、変更が可能であり、ユーザーの操作等に基づいて、再設定することができる。
【００４２】
以下、初期設定について具体的に説明する。
【００４３】
まず、端末装置２０において、マスキング音の設定画面が起動される（ステップＳ３１）。そうすると、端末装置２０は、照明装置１０の無線モジュール１２から発信された電波の電波強度に基づいて、自機（端末装置２０）と照明装置１０との距離（相互間距離）を演算する（ステップＳ４１，Ｓ３２）。
【００４４】
次に、端末装置２０は、ステップＳ３２で演算された相互間距離に基づいて、照明装置１０のスピーカー部１３から出力させるマスキング音の音圧（以下、マスキング音圧という）を決定する（ステップＳ３３）。なお、マスキング音圧の決定の方法は、特に限定されるものではない。例えば、端末装置２０に、相互間距離に応じた最適なマスキング音圧が登録されたテーブルを用意し、ＣＰＵ２２が、そのテーブルを参照してマスキング音圧を決定することができる。また、例えば、端末装置２０に、相互間距離から最適なマスキング音を算出する関数を格納し、ＣＰＵ２２が、その関数を用いてマスキング音圧を演算するようにしてもよい。さらに、設定されたマスキング音圧に対して、ユーザーが自機（端末装置２０）により、好みの音圧に調整できるようにしてもよい。
【００４５】
次に、端末装置２０は、照明装置１０を基準とする端末装置２０の存在方向を特定する（ステップＳ３４）。具体的には、例えば、端末装置２０は、タッチパネル等を介してユーザーの操作を受け付け、その操作にしたがって画像センサ２３で照明装置１０を撮像する。そして、端末装置２０は、撮像された画像データに基づいて、端末装置２０の存在方向を特定する。
【００４６】
なお、端末装置２０の存在方向が特定できればよいので、その具体的な特定方法は、特に限定されるものではない。例えば、端末装置２０が、タッチパネル２４上に照明装置１０の画像を表示させ、ユーザーに、照明装置１０の画像データの中から、自分に一番近い位置をタッチさせて、そのタッチ位置に基づいて端末装置２０の存在方向を特定してもよい。また、例えば、照明装置１０が、光源部１１を所定の発光パターンで発光させ、画像センサ２３を介して光源部１１の発光態様の解析結果から端末装置２０の存在位置の特定をしてもよい。また、例えば、照明装置１０に、３つ以上の所定位置の光源１１ａを発光させて、その発光している光源１１ａの位置に基づいて端末装置２０の存在方向を特定するようにしてもよい。
【００４７】
その後、端末装置２０は、マスキング音圧を示す音圧情報と、端末装置２０の存在方向を示す方向情報を照明装置１０に送信し、照明装置１０では、音圧情報および方向情報が取得される（ステップＳ４２）。
【００４８】
（所望音設定）
ステップＳ２２の所望音設定では、端末装置２０において、所望音の有無が判断される。
【００４９】
まず、端末装置２０において、所望音の有無の設定が受け付けられる。例えば、端末装置２０が、タッチパネル２４に所望音の有無を確認する画面を表示し、ユーザーからの入力操作の情報に基づいて、所望音の有無を判断する。そして、端末装置２０は、所望音があると判断した場合に、そのことを示す所望音信号を照明装置１０に送信する（ステップＳ３５）。一方で、端末装置２０が、所望音がないと判断した場合、フローは、ステップＳ２３に進む。
【００５０】
以下、所望音設定について具体的に説明する。
【００５１】
照明装置１０は、端末装置２０から所望音信号を受信した場合、所望音の特定処理を実行する（ステップＳ４３）。所望音の特定方法は、特に限定されるものではないが、例えば、照明装置１０のマイク部１７から取得した音を所望音としてもよい。また、例えば、端末装置２０または照明装置１０から特定機器３０に対して、所望音に関する音声データを要求する要求信号を送信し、特定機器３０から受信した所望音の音声データを取得するようにしてもよい。そして、照明装置１０は、所望音が特定できると、その所望音をスピーカー部１３から出力する（ステップＳ４４）。なお、所望音の方向、音圧については、特に限定されるものではない。例えば、あらかじめ定められたパラメータ等に基づいて定められてもよいし、ユーザーの好み等に応じて設定および変更等ができるようにしてもよい。
【００５２】
（マスキング音出力）
ステップＳ２３では、前述のステップＳ１６と同様に、照明装置１０は、制御部１４および音声制御部１６の制御により、スピーカー部１３からマスキング音を出力する。また、所望音がある場合には、スピーカー部１３から、所望音とマスキング音とが重畳して出力される。
【００５３】
−制御主体が照明装置の場合−
次に、図７を参照しつつ、照明装置２０が主体となって制御を行う場合について説明する。なお、具体的には、照明装置１０の制御部１４が主体となって制御を行うが、以下の説明では、便宜上、照明装置１０が主体であるものとして記載する。また、以下の説明では、前述の「制御主体が端末装置の場合」と相違点を中心に説明するものとし、共通の処理について説明を省略する場合がある。
【００５４】
（初期設定）
ステップＳ２１の初期設定において、マスキング音の設定画面が起動される（ステップＳ６１）と、照明装置１０は、端末装置２０の通信部２１から発信された電波の電波強度に基づいて、端末装置２０と自機（照明装置１０）との距離（相互間距離）を演算する（ステップＳ６２，Ｓ７１）。
【００５５】
次に、照明装置１０は、ステップＳ７１で演算された相互間距離に基づいて、スピーカー部１３から出力させるマスキング音圧を決定する（ステップＳ７２）。なお、マスキング音圧の決定方法については、前述のステップＳ３３の場合と同様であり、ここではその詳細説明を省略する。
【００５６】
次に、端末装置２０は、照明装置１０の画像データを取得する（ステップＳ６３）。具体的には、例えば、端末装置２０は、タッチパネル等を介してユーザーの操作を受け付け、その操作にしたがって画像センサ２３で照明装置１０を撮像する。端末装置２０で撮像された照明装置１０の画像データは、照明装置１０に送られる。照明装置１０では、端末装置２０から受信した画像データに基づいて、端末装置２０の存在方向を特定する（ステップＳ７３）。なお、端末装置２０の存在方向の特定方法は、特に限定されるものではなく、前述の「制御主体が端末装置の場合」と共通の特定方法を適用することができる。
【００５７】
（所望音設定）
ステップＳ２２の所望音設定において、端末装置２０は、前述のステップＳ３５と同様に、所望音の有無の設定を受け付け、所望音があると判断した場合に、照明装置１０に所望音信号を送信する（ステップＳ６４）。一方で、端末装置２０が、所望音がないと判断した場合、フローは、ステップＳ２３に進む。
【００５８】
照明装置１０は、端末装置２０から所望音信号を受信した場合、所望音の特定処理を実行する（ステップＳ７５）。所望音の特定方法は、特に限定されるものではなく、前述の「制御主体が端末装置の場合」と共通の特定方法を適用することができる。そして、照明装置１０は、所望音が特定できると、その所望音をスピーカー部１３から出力する（ステップＳ７６）。
【００５９】
（マスキング音出力）
ステップＳ２３では、前述のステップＳ１６と同様に、照明装置１０の制御部１４および音声制御部１６の制御により、スピーカー部１３からマスキング音が出力される。また、所望音がある場合には、スピーカー部１３から、所望音とマスキング音とが重畳して出力される。
【００６０】
以上のように、本実施における照明装置１０は、光源１１ａを有する光源部１１と、無線モジュール１２（通信部に相当）と、スピーカー部１３（音源部に相当）とを備えている。無線モジュール１２は、外部の端末装置２０から、自機（照明装置１０）と端末装置２０との相互間距離を示す距離情報と、自機（照明装置１０）を基準とする端末装置の存在方向を示す方向情報を受信する。そして、スピーカー部１３が、無線モジュール１２を介して受けた距離情報（相互間距離）に応じた音圧で、方向情報に基づく端末装置２０の存在方向に向かってマスキング音を出力する。
【００６１】
本構成によると、照明装置１０は、自機（照明装置１０）と端末装置２０との相互間距離に応じた音圧で、かつ、端末装置の方向に向かってマスキング音を出力するので、端末装置（ユーザー）の位置に応じて、より好適にマスキング音を出力させることができる。
【００６２】
（他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００６３】
上記実施形態について、以下のような構成としてもよい。
【００６４】
例えば、上記実施形態では、光源部１１は、複数の光源１１ａから構成されているものとしたが、光源部１１が単一の面光源であるものとしてもよい。この場合においても、前述の実施形態に例示した方法を用いて、照明装置１０と端末装置２０との間の相互間距離を算出することができ、同様の効果が得られる。
【産業上の利用可能性】
【００６５】
本発明による照明装置およびそれを備えた照明システムでは、端末装置の位置に応じて、より好適にマスキング音を出力させることができるという効果を有し、例えば、家庭用やオフィス用の照明装置および照明システムとして極めて有用である。
【符号の説明】
【００６６】
Ａ  照明システム
１０  照明装置
１１  光源部
１１ａ  光源
１２  無線モジュール（通信部）
１３  スピーカー部（音源部）
１３ａ  スピーカー
１４  制御部
１７  マイク部（音声取得部）
２０  端末装置
【図１】
2020034685.tif 000003
【図２】
2020034685.tif 000004
【図３】
2020034685.tif 000005
【図４】
2020034685.tif 000006
【図５】
2020034685.tif 000007
【図６】
2020034685.tif 000008
【図７】
2020034685.tif 000009
【図８】
2020034685.tif 000010